(57)【要約】【課題】コード図形の読み取り精度および通常画像のレイアウトを維持しつつ、変倍処理が施されたラスタデータを生成する。【解決手段】画像記録装置の画像処理装置５では、元画像に含まれる通常画像が、予め定められた補正倍率にて変倍された上でラスタライズ処理が行われることにより変倍通常画像ラスタデータが生成され、コード図形の位置が補正倍率に基づいて変更された上でラスタライズ処理が行われることにより変位コード図形ラスタデータが生成される。そして、変倍通常画像ラスタデータと変位コード図形ラスタデータとが合成されて補正済みラスタデータが生成される。このため、画像処理装置５では、コード図形の読み取り精度および通常画像のレイアウトを維持しつつ、変倍処理が施されたラスタデータを生成することができる。【選択図】図３
2016072723.tif 000002
【特許請求の範囲】
【請求項１】
画像データにラスタライズ処理を行う画像処理装置であって、
コード図形を含む元画像を示す元画像データを記憶する記憶部と、
前記元画像のうち前記コード図形以外の画像である通常画像を、予め定められた補正倍率にて変倍した上でラスタライズ処理を行って変倍通常画像ラスタデータを生成する通常画像補正部と、
前記コード図形の位置を前記補正倍率に基づいて変更した上でラスタライズ処理を行って変位コード図形ラスタデータを生成するコード図形補正部と、
前記変倍通常画像ラスタデータと前記変位コード図形ラスタデータとを合成して補正済みラスタデータを生成するラスタデータ合成部と、
を備えることを特徴とする画像処理装置。
【請求項２】
請求項１に記載の画像処理装置であって、
前記元画像における前記コード図形の表示範囲を制限するクリップに対して前記補正倍率にて変倍処理を行って、大きさが補正された変倍クリップを生成するクリップ補正部をさらに備え、
前記コード図形補正部が、位置が変更された前記コード図形のうち前記変倍クリップにより制限される表示範囲内の部分のラスタデータを、前記変位コード図形ラスタデータとして取得することを特徴とする画像処理装置。
【請求項３】
請求項１または２に記載の画像処理装置であって、
前記コード図形が、セキュリティコードを含むことを特徴とする画像処理装置。
【請求項４】
請求項３に記載の画像処理装置であって、
前記セキュリティコードが、ドットコードであることを特徴とする画像処理装置。
【請求項５】
請求項３または４に記載の画像処理装置であって、
前記通常画像が、前記コード図形の上層に配置される上層画像を含み、
前記ラスタデータ合成部が、前記変倍通常画像ラスタデータと前記変位コード図形ラスタデータとの合成前に、前記上層画像のデータに対するラスタライズ処理の結果である上層画像ラスタデータを、前記変位コード図形ラスタデータから除去することを特徴とする画像処理装置。
【請求項６】
請求項５に記載の画像処理装置であって、
前記元画像データがレイヤ付きＰＤＦデータであり、
前記元画像データにおいて、
前記通常画像のうち前記上層画像以外の部位である下層画像が第１レイヤに配置されており、
前記コード図形が前記第１レイヤよりも上層の第２レイヤに配置されており、
前記上層画像が前記第２レイヤよりも上層の第３レイヤに配置されていることを特徴とする画像処理装置。
【請求項７】
請求項１ないし５のいずれかに記載の画像処理装置であって、
前記元画像に含まれる画像のうち、予め定められた出力解像度と等しい解像度を有する１ビット画像を、前記コード図形として選択するコード図形選択部をさらに備えることを特徴とする画像処理装置。
【請求項８】
記録媒体に画像を記録する画像記録装置であって、
請求項１ないし７のいずれかに記載の画像処理装置と、
前記画像処理装置から出力される前記補正済みラスタデータに従って記録媒体に画像の記録を行う画像記録部と、
を備えることを特徴とする画像記録装置。
【請求項９】
請求項８に記載の画像記録装置であって、
前記画像記録部により前記記録媒体の両面に画像が記録可能であり、
前記補正倍率が、前記記録媒体の前記両面に記録される画像のうち一方の画像に対する他方の画像の倍率に基づいて予め決定されており、
前記画像処理装置により、前記記録媒体の少なくとも一方の面に記録される画像を示す画像データのラスタライズ処理が行われ、前記補正済みラスタデータが生成されることを特徴とする画像記録装置。
【請求項１０】
画像データにラスタライズ処理を行う画像処理方法であって、
ａ）コード図形を含む元画像を示す元画像データを準備する工程と、
ｂ）前記元画像のうち前記コード図形以外の画像である通常画像を、予め定められた補正倍率にて変倍した上でラスタライズ処理を行って変倍通常画像ラスタデータを生成する工程と、
ｃ）前記コード図形の位置を前記補正倍率に基づいて変更した上でラスタライズ処理を行って変位コード図形ラスタデータを生成する工程と、
ｄ）前記変倍通常画像ラスタデータと前記変位コード図形ラスタデータとを合成して補正済みラスタデータを生成する工程と、
を備えることを特徴とする画像処理方法。
【請求項１１】
請求項１０に記載の画像処理方法であって、
前記ｃ）工程よりも前に、前記元画像における前記コード図形の表示範囲を制限するクリップに対して前記補正倍率にて変倍処理を行って、大きさが補正された変倍クリップを生成する工程と、
をさらに備え、
前記ｃ）工程において、位置が変更された前記コード図形のうち前記変倍クリップにより制限される表示範囲内の部分のラスタデータが、前記変位コード図形ラスタデータとして取得されることを特徴とする画像処理方法。
【請求項１２】
請求項１０または１１に記載の画像処理方法であって、
前記コード図形が、セキュリティコードを含むことを特徴とする画像処理方法。
【請求項１３】
請求項１２に記載の画像処理方法であって、
前記セキュリティコードが、ドットコードであることを特徴とする画像処理方法。
【請求項１４】
請求項１２または１３に記載の画像処理方法であって、
前記通常画像が、前記コード図形の上層に配置される上層画像を含み、
前記画像処理方法が、前記ｃ）工程と前記ｄ）工程との間において、前記上層画像のデータに対するラスタライズ処理の結果である上層画像ラスタデータを、前記変位コード図形ラスタデータから除去する工程をさらに備えることを特徴とする画像処理方法。
【請求項１５】
請求項１４に記載の画像処理方法であって、
前記元画像データがレイヤ付きＰＤＦデータであり、
前記元画像データにおいて、
前記通常画像のうち前記上層画像以外の部位である下層画像が第１レイヤに配置されており、
前記コード図形が前記第１レイヤよりも上層の第２レイヤに配置されており、
前記上層画像が前記第２レイヤよりも上層の第３レイヤに配置されていることを特徴とする画像処理方法。
【請求項１６】
請求項１０ないし１４のいずれかに記載の画像処理方法であって、
前記ｂ）工程および前記ｃ）工程よりも前に、前記元画像に含まれる画像のうち、予め定められた出力解像度と等しい解像度を有する１ビット画像を、前記コード図形として選択する工程をさらに備えることを特徴とする画像処理方法。
【請求項１７】
画像データにラスタライズ処理を行うプログラムであって、前記プログラムのコンピュータによる実行は、前記コンピュータに、
ａ）コード図形を含む元画像を示す元画像データを準備する工程と、
ｂ）前記元画像のうち前記コード図形以外の画像である通常画像を、予め定められた補正倍率にて変倍した上でラスタライズ処理を行って変倍通常画像ラスタデータを生成する工程と、
ｃ）前記コード図形の位置を前記補正倍率に基づいて変更した上でラスタライズ処理を行って変位コード図形ラスタデータを生成する工程と、
ｄ）前記変倍通常画像ラスタデータと前記変位コード図形ラスタデータとを合成して補正済みラスタデータを生成する工程と、
を実行させることを特徴とするプログラム。
【発明の詳細な説明】
【技術分野】
【０００１】
本発明は、画像データにラスタライズ処理を行う技術に関する。
【背景技術】
【０００２】
従来より、印刷用紙等の記録媒体に向けてインクの微小な液滴を吐出することにより印刷を行うインクジェット方式の印刷装置が用いられている。このような印刷装置において、記録媒体の両面に印刷を行う場合、一方の面への印刷終了後に記録媒体が乾燥等によって伸縮することにより、伸縮後の記録媒体の他方の面に印刷された画像と、上記一方の面に印刷された画像との見当が合わなくなる（すなわち、両画像の印刷位置および大きさがずれる）ことがある。
【０００３】
このような見当ずれを補正するためには、記録媒体の上記他方の面に印刷される画像を、記録媒体の伸縮に合わせて予め拡大または縮小しておく（すなわち、変倍処理を施す）ことが考えられる。一方、変倍処理が施された画像にセキュリティコードやバーコード等のコード図形が含まれていると、コード図形を構成するドットやバーの間隔や大きさが変更され、印刷後のコード図形の読み取り精度が低下するおそれがある。
【０００４】
そこで、特許文献１では、バーコードを含む画像の印刷を行う際に、バーコード以外の文字に変倍処理を施し、バーコードには変倍処理を施さないことで、バーコードを読み取り可能に印刷する技術が提案されている。さらに、特許文献１では、文字の縮小の結果、バーコードが印刷領域からはみ出した場合、バーコードが印刷領域内に収まるように、バーコードの位置をずらすことが提案されている。また、文字の縮小の結果、複数のバーコードが重なった場合、バーコードの重複が解消されるように、バーコードの位置をずらすことが提案されている。
【先行技術文献】
【特許文献】
【０００５】
【特許文献１】特開２００８−１４６４０６号公報
【発明の概要】
【発明が解決しようとする課題】
【０００６】
ところで、特許文献１では、バーコードが印刷領域からはみ出した場合や重なった場合にバーコードの位置がずらされることにより、バーコード以外の文字のレイアウトが元画像と異なってしまうおそれがある。また、特許文献１の技術は、フォントで構成されたバーコードを含む画像を対象としており、画像で構成されたバーコード等のコード図形を含む画像に適用することはできない。
【０００７】
本発明は、上記課題に鑑みなされたものであり、コード図形の読み取り精度および通常画像のレイアウトを維持しつつ、変倍処理が施されたラスタデータを生成することを目的としている。
【課題を解決するための手段】
【０００８】
請求項１に記載の発明は、画像データにラスタライズ処理を行う画像処理装置であって、コード図形を含む元画像を示す元画像データを記憶する記憶部と、前記元画像のうち前記コード図形以外の画像である通常画像を、予め定められた補正倍率にて変倍した上でラスタライズ処理を行って変倍通常画像ラスタデータを生成する通常画像補正部と、前記コード図形の位置を前記補正倍率に基づいて変更した上でラスタライズ処理を行って変位コード図形ラスタデータを生成するコード図形補正部と、前記変倍通常画像ラスタデータと前記変位コード図形ラスタデータとを合成して補正済みラスタデータを生成するラスタデータ合成部とを備える。
【０００９】
請求項２に記載の発明は、請求項１に記載の画像処理装置であって、前記元画像における前記コード図形の表示範囲を制限するクリップに対して前記補正倍率にて変倍処理を行って、大きさが補正された変倍クリップを生成するクリップ補正部をさらに備え、前記コード図形補正部が、位置が変更された前記コード図形のうち前記変倍クリップにより制限される表示範囲内の部分のラスタデータを、前記変位コード図形ラスタデータとして取得する。
【００１０】
請求項３に記載の発明は、請求項１または２に記載の画像処理装置であって、前記コード図形が、セキュリティコードを含む。
【００１１】
請求項４に記載の発明は、請求項３に記載の画像処理装置であって、前記セキュリティコードが、ドットコードである。
【００１２】
請求項５に記載の発明は、請求項３または４に記載の画像処理装置であって、前記通常画像が、前記コード図形の上層に配置される上層画像を含み、前記ラスタデータ合成部が、前記変倍通常画像ラスタデータと前記変位コード図形ラスタデータとの合成前に、前記上層画像のデータに対するラスタライズ処理の結果である上層画像ラスタデータを、前記変位コード図形ラスタデータから除去する。
【００１３】
請求項６に記載の発明は、請求項５に記載の画像処理装置であって、前記元画像データがレイヤ付きＰＤＦデータであり、前記元画像データにおいて、前記通常画像のうち前記上層画像以外の部位である下層画像が第１レイヤに配置されており、前記コード図形が前記第１レイヤよりも上層の第２レイヤに配置されており、前記上層画像が前記第２レイヤよりも上層の第３レイヤに配置されている。
【００１４】
請求項７に記載の発明は、請求項１ないし５のいずれかに記載の画像処理装置であって、前記元画像に含まれる画像のうち、予め定められた出力解像度と等しい解像度を有する１ビット画像を、前記コード図形として選択するコード図形選択部をさらに備える。
【００１５】
請求項８に記載の発明は、記録媒体に画像を記録する画像記録装置であって、請求項１ないし７のいずれかに記載の画像処理装置と、前記画像処理装置から出力される前記補正済みラスタデータに従って記録媒体に画像の記録を行う画像記録部とを備える。
【００１６】
請求項９に記載の発明は、請求項８に記載の画像記録装置であって、前記画像記録部により前記記録媒体の両面に画像が記録可能であり、前記補正倍率が、前記記録媒体の前記両面に記録される画像のうち一方の画像に対する他方の画像の倍率に基づいて予め決定されており、前記画像処理装置により、前記記録媒体の少なくとも一方の面に記録される画像を示す画像データのラスタライズ処理が行われ、前記補正済みラスタデータが生成される。
【００１７】
請求項１０に記載の発明は、画像データにラスタライズ処理を行う画像処理方法であって、ａ）コード図形を含む元画像を示す元画像データを準備する工程と、ｂ）前記元画像のうち前記コード図形以外の画像である通常画像を、予め定められた補正倍率にて変倍した上でラスタライズ処理を行って変倍通常画像ラスタデータを生成する工程と、ｃ）前記コード図形の位置を前記補正倍率に基づいて変更した上でラスタライズ処理を行って変位コード図形ラスタデータを生成する工程と、ｄ）前記変倍通常画像ラスタデータと前記変位コード図形ラスタデータとを合成して補正済みラスタデータを生成する工程とを備える。
【００１８】
請求項１１に記載の発明は、請求項１０に記載の画像処理方法であって、前記ｃ）工程よりも前に、前記元画像における前記コード図形の表示範囲を制限するクリップに対して前記補正倍率にて変倍処理を行って、大きさが補正された変倍クリップを生成する工程とをさらに備え、前記ｃ）工程において、位置が変更された前記コード図形のうち前記変倍クリップにより制限される表示範囲内の部分のラスタデータが、前記変位コード図形ラスタデータとして取得される。
【００１９】
請求項１２に記載の発明は、請求項１０または１１に記載の画像処理方法であって、前記コード図形が、セキュリティコードを含む。
【００２０】
請求項１３に記載の発明は、請求項１２に記載の画像処理方法であって、前記セキュリティコードが、ドットコードである。
【００２１】
請求項１４に記載の発明は、請求項１２または１３に記載の画像処理方法であって、前記通常画像が、前記コード図形の上層に配置される上層画像を含み、前記画像処理方法が、前記ｃ）工程と前記ｄ）工程との間において、前記上層画像のデータに対するラスタライズ処理の結果である上層画像ラスタデータを、前記変位コード図形ラスタデータから除去する工程をさらに備える。
【００２２】
請求項１５に記載の発明は、請求項１４に記載の画像処理方法であって、前記元画像データがレイヤ付きＰＤＦデータであり、前記元画像データにおいて、前記通常画像のうち前記上層画像以外の部位である下層画像が第１レイヤに配置されており、前記コード図形が前記第１レイヤよりも上層の第２レイヤに配置されており、前記上層画像が前記第２レイヤよりも上層の第３レイヤに配置されている。
【００２３】
請求項１６に記載の発明は、請求項１０ないし１４のいずれかに記載の画像処理方法であって、前記ｂ）工程および前記ｃ）工程よりも前に、前記元画像に含まれる画像のうち、予め定められた出力解像度と等しい解像度を有する１ビット画像を、前記コード図形として選択する工程をさらに備える。
【００２４】
請求項１７に記載の発明は、画像データにラスタライズ処理を行うプログラムであって、前記プログラムのコンピュータによる実行は、前記コンピュータに、ａ）コード図形を含む元画像を示す元画像データを準備する工程と、ｂ）前記元画像のうち前記コード図形以外の画像である通常画像を、予め定められた補正倍率にて変倍した上でラスタライズ処理を行って変倍通常画像ラスタデータを生成する工程と、ｃ）前記コード図形の位置を前記補正倍率に基づいて変更した上でラスタライズ処理を行って変位コード図形ラスタデータを生成する工程と、ｄ）前記変倍通常画像ラスタデータと前記変位コード図形ラスタデータとを合成して補正済みラスタデータを生成する工程とを実行させる。
【発明の効果】
【００２５】
本発明では、コード図形の読み取り精度および通常画像のレイアウトを維持しつつ、変倍処理が施されたラスタデータを生成することができる。
【図面の簡単な説明】
【００２６】
【図１】一の実施の形態に係る画像記録装置の構成を示す図である。
【図２】画像処理装置の構成を示す図である。
【図３】画像処理装置の機能を示すブロック図である。
【図４Ａ】画像データの補正処理の流れを示す図である。
【図４Ｂ】画像データの補正処理の流れを示す図である。
【図５】元画像を示す図である。
【図６】第１下層画像を示す図である。
【図７】第２下層画像を示す図である。
【図８】第１上層画像を示す図である。
【図９】第２上層画像を示す図である。
【図１０】コード元図形を示す図である。
【図１１】クリップを示す図である。
【図１２】コード図形を示す図である。
【図１３】変倍第１下層画像を示す図である。
【図１４】変倍クリップを示す図である。
【図１５】変位コード元図形を示す図である。
【図１６】変位コード図形を示す図である。
【図１７】画像データの補正処理の流れの一部を示す図である。
【図１８】変位コード図形を示す図である。
【図１９】補正画像を示す図である。
【図２０】他の元画像を示す図である。
【図２１】画像データの補正処理の流れの一部を示す図である。
【発明を実施するための形態】
【００２７】
図１は、本発明の一の実施の形態に係る画像記録装置１０の構成を示す図である。画像記録装置１０は、長尺状の印刷用紙である記録媒体９に、インクジェット方式にてカラー画像の記録（すなわち、カラー印刷）を行う装置である。
【００２８】
画像記録装置１０は、画像処理装置５と、画像記録部１とを備える。画像処理装置５は、画像データにラスタライズ処理を行う装置である。画像処理装置５は、例えば、各種演算処理を行うＣＰＵや各種情報を記憶するメモリ等により構成されたコンピュータである。画像記録部１は、画像処理装置５から出力されるラスタデータに従って記録媒体９に画像の記録を行う。画像記録部１では、記録媒体９の両面に画像が記録可能である。
【００２９】
画像記録部１は、移動機構２と、吐出ユニット３ａ，３ｂと、定着ユニット４ａ，４ｂとを備える。移動機構２は、記録媒体９を図１中の左側から右側に向かう方向（以下、「移動方向」という。）に移動する。吐出ユニット３ａ，３ｂは、移動機構２による移動途上の記録媒体９に向けてインクの微小液滴を吐出する。定着ユニット４ａ，４ｂは、吐出ユニット３ａ，３ｂから記録媒体９上に付与されたインクを記録媒体９に定着させる。記録媒体９に対するインクの定着は、加熱によるインクの乾燥や、紫外線等の照射によるインクの硬化により行われる。
【００３０】
移動機構２は、複数のローラ２１と、供給部２２と、回収部２３と、反転機構２５とを備える。複数のローラ２１は、移動方向に沿って配列される。各ローラ２１は、図１中の紙面に垂直な方向（すなわち、水平かつ移動方向に垂直な方向）に長いローラである。供給部２２は、複数のローラ２１の図１中における左側に配置され、画像記録前のロール状の記録媒体９（供給ロール）を保持する。回収部２３は、複数のローラ２１の図１中における右側に配置され、画像が記録されたロール状の記録媒体９（巻取ロール）を保持する。以下の説明では、単に記録媒体９という場合は、複数のローラ２１による搬送途上の記録媒体９（すなわち、複数のローラ２１上の記録媒体９）を意味するものとする。
【００３１】
移動機構２の１つのローラ２１ａには、記録媒体９の移動方向の移動速度を検出するエンコーダ２９が設けられる。そして、エンコーダ２９からの出力に基づいて回収部２３のモータの回転が制御されることにより、記録媒体９の画像記録が終了した部位が回収部２３により巻き取られるとともに、供給部２２の供給ロールから記録媒体９が繰り出されて移動方向に一定速度にて移動する。このとき、供給部２２が有するモータにて記録媒体９に対して移動方向とは逆向きの負荷（テンション）を付与することにより、複数のローラ２１上の記録媒体９が波打つことなく滑らかに移動する。
【００３２】
反転機構２５は、移動中の記録媒体９の表面９１と裏面９２とを反転させる。反転機構２５は、記録媒体９の移動経路上において、吐出ユニット３ａおよび定着ユニット４ａと、吐出ユニット３ｂおよび定着ユニット４ｂとの間に設けられる。画像記録部１では、吐出ユニット３ａにより記録媒体９の表面９１に画像が記録された後、反転機構２５により記録媒体９が反転する。そして、吐出ユニット３ｂにより記録媒体９の裏面９２に画像が記録される。以下の説明では、記録媒体９の表面９１および裏面９２に記録される画像をそれぞれ、「表面画像」および「裏面画像」とも呼ぶ。
【００３３】
画像記録装置１０では、記録媒体９への表面画像の記録により、記録媒体９が伸縮することがある。そこで、画像処理装置５では、表面画像の記録後における記録媒体９の伸縮を考慮して、記録媒体９に記録される画像のデータにラスタライズ処理を行う際に、当該伸縮による影響を抑制するための補正が行われる。例えば、表面画像が所望の大きさよりも２％収縮する場合、画像処理装置５により裏面画像の画像データにラスタライズ処理が行われる際に、裏面画像も２％収縮するように予め決定された補正倍率に基づいて後述する補正処理が行われ、補正済みラスタデータが生成される。そして、画像処理装置５から出力される補正済みラスタデータに従って、画像記録部１により記録媒体９の裏面９２に裏面画像の記録が行われることにより、表面画像と裏面画像との見当（すなわち、両画像の記録位置および大きさ）が精度良く合う。
【００３４】
上記補正倍率は、必ずしも、表面画像の伸縮率に基づいて決定される必要はなく、記録媒体９の両面に倍率補正なしで記録された画像（すなわち、表面画像および裏面画像）のサイズの違いに基づいて、両者のサイズが合致するように、少なくともいずれかの補正倍率が予め決定されていればよい。また、画像処理装置５では、必ずしも、裏面画像の補正済みラスタデータが生成される必要はなく、記録媒体９の少なくとも一方の面に記録される画像を示す画像データのラスタライズ処理が行われて補正済みラスタデータが生成されていればよい。換言すれば、画像処理装置５では、表面画像または裏面画像の補正済みラスタデータが生成されてもよく、表面画像および裏面画像の双方の補正済みラスタデータが生成されてもよい。なお、画像処理装置５により、表面画像および裏面画像のうち一方の画像の補正済みラスタデータが生成される場合、他方の画像を示す画像データのラスタライズ処理は、画像処理装置５以外の装置により行われてもよい。
【００３５】
図２は、画像処理装置５の構成を示す図である。画像処理装置５は、各種演算処理を行うＣＰＵ５０１と、基本プログラムを記憶するＲＯＭ５０２と、各種情報を記憶するＲＡＭ５０３とを含む一般的なコンピュータシステムの構成となっている。画像処理装置５は、情報記憶を行う固定ディスク５０４と、画像等の各種情報の表示を行うディスプレイ５０５と、操作者からの入力を受け付けるキーボード５０６ａおよびマウス５０６ｂと、光ディスク、磁気ディスク、光磁気ディスク等のコンピュータ読み取り可能な記憶媒体８から情報の読み取りおよび書き込みを行う読取／書込装置５０７と、画像記録装置１０の他の構成等との間で信号を送受信する通信部５０８とをさらに含む。
【００３６】
画像処理装置５では、事前に読取／書込装置５０７を介して記憶媒体８からプログラム８０が読み出されて固定ディスク５０４に記憶されている。ＣＰＵ５０１は、プログラム８０に従ってＲＡＭ５０３や固定ディスク５０４を利用しつつ演算処理を実行する。画像処理装置５の機能は専用の電気的回路により実現されてもよく、部分的に専用の電気的回路が用いられてもよい。
【００３７】
図３は、画像処理装置５の機能を示すブロック図である。画像処理装置５は、記憶部５１と、通常画像補正部５２と、クリップ補正部５３と、コード図形補正部５４と、ラスタデータ合成部５６と、コード図形選択部５７とを備える。
【００３８】
次に、予め決定された上記補正倍率に基づいて図３に示す画像処理装置５により行われる画像データの補正処理について、図４Ａおよび図４Ｂを参照しつつ説明する。画像処理装置５では、まず、コード図形および通常画像を含む元画像を示す元画像データが記憶部５１に記憶されることにより準備される（ステップＳ１１）。また、記憶部５１には、上記補正倍率も記憶されている。コード図形とは、肉眼では視認できない状態で情報を保持している図形、あるいは、視認するのみでは取得できない状態で情報を保持している図形を意味する。
【００３９】
図５は、元画像７１を示す図である。元画像７１は、同じ大きさの４つの元画像要素７７を含む。各元画像要素７７では、「ＴＯＭＡＴＯ」のロゴが表示されている略楕円形の領域に、コード図形が含まれている。元画像に含まれるコード図形は、例えば、セキュリティコードを含む。セキュリティコードは、可視光下において肉眼では視認不能（または、視認困難）な画像である。セキュリティコードが示す情報は、例えば、専用の読取装置を介して読み取り可能である。この場合、例えば、セキュリティコードが赤外線吸収インク（カーボンインク等）にて記録され、セキュリティコード以外の画像が赤外線非吸収インク（ノンカーボンインク等）にて記録され、赤外線の反射光を読み取る読取装置にてセキュリティコードのみが暗部として読み取られる。あるいは、セキュリティコードが示す情報は、例えば、紫外線が照射されている状態等の特殊な条件下にて視認可能である。この場合、セキュリティコードは、紫外線を照射することで発光する透明インク等にて記録される。
【００４０】
上記セキュリティコードは、例えば、ドットコードである。ドットコードは、複数の微小なドットの配置パターンにより情報を示すセキュリティコードである。以下では、多数の同一のドットコードをマトリクス状に配列したものが、セキュリティコードとして記録媒体９に記録されるものとして説明する。各ドットコードは、例えば、数ｍｍ角の正方形であり、赤外線吸収インクにより記録媒体９に記録される。また、上記元画像のうちコード図形以外の画像である通常図形は、赤外線非吸収インクにて記録媒体９に記録される。セキュリティコードを読み取る際には、赤外線の反射光を読み取る読取装置をセキュリティコードの一部に近接させる。これにより、セキュリティコードの当該一部に含まれる１つのドットコードが読み取られる。なお、セキュリティコードは、例えば、企業のロゴ、記録媒体９に係る警告や認証のメッセージ、紋様、暗号文字列、バーコード、２次元コードであってもよい。
【００４１】
図６ないし図９、並びに、図１２は、元画像７１に含まれる複数の画像を個別に示す図である。図５に例示する元画像７１は、図６ないし図９に示す複数の通常画像と、図１２に示す１つのコード図形７３とを含む。元画像７１は、複数のコード図形７３を含んでいてもよい。通常画像は、元画像７１のうちコード図形７３以外の画像である。
【００４２】
図６ないし図９に例示する４つの通常画像は、第１下層画像７４１と、第２下層画像７４２と、第１上層画像７５１と、第２上層画像７５２である。図６に示す第１下層画像７４１は、４つの略矩形の第１着色領域７４３を含む画像である。各第１着色領域７４３には、略楕円形の非着色領域７４４が設けられる。図７に示す第２下層画像７４２は、４つの略楕円形の第２着色領域７４５を含む画像である。第２下層画像７４２の４つの第２着色領域７４５は、第１下層画像７４１の４つの非着色領域７４４と同じ大きさであり、同じ位置に配置される。第１着色領域７４３および第２着色領域７４５には、ベタ画像、イラスト、写真、紋様等の着色された画像（いわゆる、下絵）が配置される。
【００４３】
図８に示す第１上層画像７５１は、４つの略矩形の文字表示領域７５３、および、各文字表示領域７５３に表示される複数の文字や記号を含む。図８では、図示の都合上、各文字表示領域７５３内の文字や記号を小さい丸にて示す（他の図においても同様）。第１上層画像７５１の文字表示領域７５３は、第２下層画像７４２の第２着色領域７４５（図７参照）の右側において、第１下層画像７４１の第１着色領域７４３（図６参照）上に配置される。図９に示す第２上層画像７５２は、４つのロゴ７５５を含む。図９に示す例では、各ロゴ７５５は「ＴＯＭＡＴＯ」である。第２上層画像７５２の４つのロゴ７５５は、第２下層画像７４２の４つの第２着色領域７４５（図７参照）上に配置される。
【００４４】
図１０は、後述する図１２に示すコード図形７３の元となる図形（以下、「コード元図形７３０」という。）を示す図である。図１０に示すコード元図形７３０は、４つの略矩形のコード領域７３４を含む。各コード領域７３４には、上述のように、多数の略矩形のドットコードがマトリクス状に配置される。
【００４５】
図３に示す画像処理装置５では、元画像７１におけるコード図形７３（図１２参照）の表示範囲を制限するクリップが、記憶部５１に予め記憶されている。図１１では、当該クリップにより表示が制限されて非表示となる非表示領域７６１に平行斜線を付し、非表示領域７６１を除く表示範囲７６２を二点鎖線にて囲む。図１１に示す４つの略楕円形の表示範囲７６２は、第２下層画像７４２の４つの第２着色領域７４５（図７参照）と同じ大きさであり、同じ位置に配置される。図１０に示す４つのコード領域７３４の表示が当該クリップにより制限されることにより、図１２に示すように、４つの略楕円形のコード表示領域７３５がコード図形７３として表示される。
【００４６】
ここで、第１下層画像７４１および第２下層画像７４２をまとめて「下層画像」と呼び、第１上層画像７５１および第２上層画像７５２をまとめて「上層画像」と呼ぶと、下層画像は、通常画像のうち上層画像以外の部位である。コード図形７３は、通常画像に含まれる下層画像の上層に配置され、通常画像に含まれる上層画像は、コード図形７３の上層に配置される。
【００４７】
ステップＳ１１において準備された元画像データは、例えば、レイヤ付きＰＤＦデータ（すなわち、レイヤ構造を有するＰＤＦデータ）である。元画像データでは、上述の下層画像が第１レイヤに配置されており、コード図形７３が第１レイヤよりも上層の第２レイヤに配置されている。また、上述の上層画像が、第２レイヤよりも上層の第３レイヤに配置されている。
【００４８】
ステップＳ１１が終了すると、元画像７１に含まれる通常画像およびコード図形７３から一の画像が「注目画像」として選択される（ステップＳ１２）。実際には、当該一の画像のデータが、元画像データから選択される。続いて、注目画像がコード図形であるか通常図形であるかが判断される（ステップＳ１３）。注目画像が通常画像である場合、図３に示す通常画像補正部５２により、注目画像である通常画像が上述の補正倍率にて変倍された上で、ラスタライズ処理が行われて変倍通常画像ラスタデータが生成される（ステップＳ１４）。変倍通常画像ラスタデータは、ラスタデータ合成部５６へと送られる。
【００４９】
通常画像補正部５２では、例えば、通常画像である第１下層画像７４１（図６参照）が上記補正倍率にて変倍され、図１３に示すように、変倍通常画像である変倍第１下層画像７４１ａのデータが生成された上で、当該変倍通常画像のデータに対するラスタライズ処理が行われる。図１３では、変倍第１下層画像７４１ａの第１補正着色領域７４３ａおよび補正非着色領域７４４ａと併せて、第１下層画像７４１の第１着色領域７４３および非着色領域７４４の輪郭を二点鎖線にて描いている。図１３に示す例では、第１下層画像７４１が縮小されて変倍第１下層画像７４１ａが生成される。変倍第１下層画像７４１ａの生成では、例えば、第１下層画像７４１の左下の角部を基準点７０として変倍処理が行われる。実際の補正倍率は、例えば、−２％〜＋２％程度（すなわち、補正後の図形の大きさは、補正前の図形の大きさの９８％〜１０２％程度）であるが、図１３では、補正前後の画像の大きさの差を実際よりも大きく描いている（他の図においても同様）。
【００５０】
ステップＳ１４が終了すると、注目画像である通常画像が、上述の上層画像であるか下層画像であるかが判断される（ステップＳ１５）。注目画像が下層画像である場合、当該注目画像に対する処理を終了し、元画像７１に含まれる次の画像が新たな注目画像として選択され（ステップＳ１９，Ｓ２０）、ステップＳ１３に戻る。
【００５１】
一方、ステップＳ１５において注目画像が上層画像である場合、ステップＳ１４にて生成されてラスタデータ合成部５６に送られた変倍通常画像ラスタデータが、ラスタデータ合成部５６において、上層画像ラスタデータとしても記憶される。換言すれば、ラスタデータ合成部５６により、上層画像のデータに対するラスタライズ処理の結果である上層画像ラスタデータが取得される（ステップＳ１６）。そして、元画像７１に含まれる次の画像が新たな注目画像として選択され（ステップＳ１９，Ｓ２０）、ステップＳ１３に戻る。
【００５２】
一方、ステップＳ１３において注目画像がコード図形である場合、図３に示すクリップ補正部５３により、注目画像であるコード図形の表示範囲を制限するクリップに対して、上記補正倍率にて変倍処理が行われ、表示範囲の大きさが補正された変倍クリップが生成される（ステップＳ１７）。クリップ補正部５３では、例えば、注目画像であるコード図形７３（図１２参照）に係るクリップの表示範囲７６２（図１１参照）に対し、図１３に示す変倍第１下層画像７４１ａと同様に左下の角部を基準点７０として変倍処理が行われ、図１４に示すように、変倍クリップにおける表示範囲である変倍表示範囲７６２ａが生成される。図１４では、補正前のクリップの４つの表示範囲７６２を二点鎖線にて併せて描いている。４つの変倍表示範囲７６２ａの位置および大きさは、第２下層画像７４２の４つの第２着色領域７４５が変倍処理された４つの第２補正着色領域７４５ａ（図１９参照）の位置および大きさと同じである。
【００５３】
続いて、図３に示すコード図形補正部５４により、注目画像であるコード図形７３の位置が上述の補正倍率に基づいて変更される。その上で、位置が変更された当該コード図形７３のうち、ステップＳ１７にて生成された変倍クリップにより制限される変倍表示範囲７６２ａ（図１４参照）内の部分に対してラスタライズ処理が行われ、変位コード図形ラスタデータが生成される（ステップＳ１８）。変位コード図形ラスタデータは、ラスタデータ合成部５６へと送られる。
【００５４】
コード図形補正部５４では、例えば、コード元図形７３０の４つのコード領域７３４（図１０参照）の位置が上記補正倍率に基づいて変更され、図１５に示すように、変位コード元図形７３０ａが生成される。具体的には、例えば、上記ステップＳ１４の通常画像の変倍処理における第１下層画像７４１の４つの第１着色領域７４３の移動方向および移動距離（図１３参照）がそれぞれ求められる。そして、コード元図形７３０において当該４つの第１着色領域７４３に対応する４つのコード領域７３４（図１５において二点鎖線にて描く。）をそれぞれ、対応する第１着色領域７４３の上述の移動方向と同じ方向に、上述の移動距離と等しい距離だけ移動させる。これにより、４つの変位コード領域７３４ａを含む変位コード元図形７３０ａが生成される。変位コード元図形７３０ａが生成されると、変位コード元図形７３０ａのうち上述の変倍クリップの４つの変倍表示範囲７６２ａ（図１４参照）内の部分が、図１６に示すように、変位コード図形７３ａの４つの補正コード表示領域７３５ａとして抽出される。その後、変位コード図形７３ａのデータに対するラスタライズ処理が行われることにより、変位コード図形７３ａのラスタデータが変位コード図形ラスタデータとして取得される。
【００５５】
なお、コード図形７３の表示範囲を制限するクリップ（図１１参照）が予め準備されていない場合、コード図形補正部５４では、図１７に示すように、ステップＳ１３とステップＳ１７との間において、クリップの生成が行われる（ステップＳ１７０）。ステップＳ１７０では、例えば、コード元図形７３０における４つのコード領域７３４（図１０参照）が、図１２に示す４つの略楕円形のコード表示領域７３５と同形状である場合、図１１に示すように、コード図形７３の４つのコード表示領域７３５と同じ大きさの４つの表示範囲７６２が、４つのコード表示領域７３５と同じ位置に配置されたクリップが生成される。
【００５６】
ステップＳ１８が終了すると、元画像７１に含まれる次の画像が新たな注目画像として選択され（ステップＳ１９，Ｓ２０）、ステップＳ１３に戻る。画像処理装置５では、元画像７１に含まれる全ての画像（すなわち、通常画像およびコード図形７３）をそれぞれ注目画像として、ステップＳ１３〜Ｓ１８に示す補正処理（すなわち、変倍処理または変位処理）およびラスタライズ処理が繰り返される。
【００５７】
元画像７１に含まれる全ての画像に対する補正処理およびラスタライズ処理が終了すると（ステップＳ１９）、図３に示すラスタデータ合成部５６により、ステップＳ１８にて生成された変位コード図形ラスタデータから、ステップＳ１６にて取得された上層画像ラスタデータが除去される（ステップＳ２１）。具体的には、第１上層画像７５１および第２上層画像７５２のうち、コード図形７３のコード表示領域７３５に重なるロゴ７５５を含む第２上層画像７５２（図９参照）が選択され、第２上層画像７５２の変倍通常画像ラスタデータが、コード図形７３の変位コード図形ラスタデータから除去される。これにより、変位コード図形ラスタデータは、上述の変倍通常画像のうち第２上層画像７５２に対応する領域を図１６に示す変位コード図形７３ａから除去した画像（図１８参照）のデータをラスタライズ処理した結果と等しくなる。以下の説明では、ステップＳ２１の処理を「抜き処理」ともいう。
【００５８】
ステップＳ２１が終了すると、上層画像ラスタデータが除去された変位コード図形ラスタデータと、ステップＳ１４にて生成された変倍通常画像ラスタデータ（すなわち、第１下層画像７４１、第２下層画像７４２、第１上層画像７５１および第２上層画像７５２の変倍通常画像ラスタデータ）とが、ラスタデータ合成部５６により合成され、補正済みラスタデータが生成される（ステップＳ２２）。ステップＳ２２では、変位コード図形ラスタデータの画素と変倍通常画像ラスタデータの画素とが重なる画素位置では、変位コード図形ラスタデータの画素が、記録媒体９上に記録される画素として採用される。
【００５９】
補正済みラスタデータは、記録媒体９の裏面９２への画像記録に利用されるデータとして、図１に示す画像処理装置５から画像記録部１へと出力される。なお、記録媒体９の表面９１への画像記録に利用されるラスタデータは予め画像記録部１へと送られている。画像記録部１では、表面９１用のラスタデータ、および、裏面９２用の上記補正済みラスタデータに基づいて、移動機構２による記録媒体９の移動、および、吐出ユニット３ａ，３ｂによるインクの吐出が行われる。その結果、記録媒体９の表面９１に画像が記録され、その後、図１９に示すように、元画像７１の４つの元画像要素７７（図５参照）に対応する４つの補正画像要素７７ａを含む補正画像７１ａが、記録媒体９の裏面９２に記録される。図１９では、元画像７１の輪郭を二点鎖線にて併せて描いている。
【００６０】
補正画像７１ａの記録では、具体的には、補正済みラスタデータのうち変倍通常画像ラスタデータに基づいて、第１下層画像７４１の４つの第１着色領域７４３が変倍処理された４つの第１補正着色領域７４３ａ、第２下層画像７４２の４つの第２着色領域７４５が変倍処理された４つの第２補正着色領域７４５ａ、第１上層画像７５１の４つの文字表示領域７５３が変倍処理された４つの補正文字表示領域７５３ａ、および、第２上層画像７５２の４つのロゴ７５５が変倍処理された４つの補正ロゴ７５５ａが、赤外線非吸収インク等により記録される。また、上層画像ラスタデータが除去された変位コード図形ラスタデータに基づいて、コード図形７３の４つのコード表示領域７３５が変位処理された４つの補正コード表示領域７３５ａを含む変位コード図形７３ａが、赤外線吸収インク等により記録される。各補正コード表示領域７３５ａは、第２補正着色領域７４５ａ上に記録される。また、各補正ロゴ７５５ａは、補正コード表示領域７３５ａにおいてドットコードが記録されない領域上に記録される。換言すれば、補正コード表示領域７３５ａのドットコードは、各補正ロゴ７５５ａを避けて第２補正着色領域７４５ａ上に記録される。
【００６１】
以上に説明したように、画像処理装置５では、元画像７１に含まれる通常画像が、予め定められた補正倍率にて変倍された上でラスタライズ処理が行われることにより、変倍通常画像ラスタデータが生成される。また、元画像７１に含まれるコード図形７３の位置が補正倍率に基づいて変更された上で、ラスタライズ処理が行われることにより変位コード図形ラスタデータが生成される。そして、変倍通常画像ラスタデータと変位コード図形ラスタデータとが合成されて補正済みラスタデータが生成される。このため、画像処理装置５では、コード図形７３の読み取り精度および通常画像のレイアウトを維持しつつ、変倍処理が施されたラスタデータを生成することができる。また、画像処理装置５を備える画像記録装置１０では、コード図形７３の読み取り精度および通常画像のレイアウトを維持しつつ、変倍処理が施された画像を記録媒体９に記録することができる。
【００６２】
上述のように、画像記録装置１０では、上記補正倍率が、記録媒体９の両面に記録される画像のうち一方の画像に対する他方の画像の倍率に基づいて予め決定されている。そして、画像処理装置５により、記録媒体９の少なくとも一方の面に記録される画像を示す画像データのラスタライズ処理が行われ、補正済みラスタデータが生成される。その結果、記録媒体９の両面に記録される画像の見当（すなわち、両面に記録される画像の記録位置および大きさ）を精度良く合わせることができる。
【００６３】
画像処理装置５では、上述のように、元画像７１におけるコード図形７３の表示範囲を制限するクリップに対して上記補正倍率にて変倍処理が行われ、大きさが補正された変倍クリップが生成される。そして、上記補正倍率に基づいて位置が変更されたコード図形７３のうち、変倍クリップにより制限される表示範囲内の部分のラスタデータが変位コード図形ラスタデータとして取得される。これにより、変位処理されたコード図形７３である変位コード図形７３ａの補正コード表示領域７３５ａが、変倍クリップの変倍表示範囲７６２ａからはみ出すことを防止することができる。
【００６４】
上述の例では、各変倍表示範囲７６２ａの位置および大きさは、対応する第２補正着色領域７４５ａの位置および大きさと同じである。このため、変位コード図形７３ａは、４つの第２補正着色領域７４５ａと重なる領域のみに記録される。換言すれば、４つの第２補正着色領域７４５ａは、変位コード図形７３ａの４つの補正コード表示領域７３５ａ全体と重なって、変位コード図形７３ａの存在を隠蔽するカムフラージュ画像である。変位コード図形７３ａが当該カムフラージュ画像上にのみ記録されることにより、変位コード図形７３ａの存在が認識されることを抑制することができる。
【００６５】
コード図形７３がドットコード等のセキュリティコードを含む場合、画像処理装置５により上述のように補正済みラスタデータが生成されることにより、変倍処理が施された補正画像７１ａにおいて、セキュリティコードの読み取り精度の低下を防止することができる。また、セキュリティコードが上述のカムフラージュ画像からはみ出すことを防止することができるため、セキュリティコードの存在が認識されることを抑制することができる。
【００６６】
画像処理装置５では、ステップＳ２１の抜き処理が行われることにより、補正コード表示領域７３５ａのセキュリティコードが、補正ロゴ７５５ａを避けてカムフラージュ画像である第２補正着色領域７４５ａ上に記録される。このように、セキュリティコードが文字や記号等の上層画像に重なることを防止することにより、セキュリティコードの存在が認識されることを、さらに抑制することができる。
【００６７】
上述のように、元画像データはレイヤ付きＰＤＦデータであり、通常画像の第１下層画像７４１および第２下層画像７４２が第１レイヤに配置される。また、コード図形７３は第１レイヤよりも上層の第２レイヤに配置され、通常画像の第１上層画像７５１および第２上層画像７５２は、第２レイヤよりも上層の第３レイヤに配置される。このように、元画像データにおいて、下層画像、コード図形および上層画像が分別されているため、画像処理装置５において各画像の種類を容易に区別し、当該画像の種類に応じた適切な処理を行うことができる。その結果、画像処理装置５における画像データに対する処理を容易かつ迅速に行うことができる。
【００６８】
画像処理装置５では、例えば、通常画像のデータとコード図形のデータとが区別されることなく含まれた元画像データが、ステップＳ１１において準備されてもよい。図２０は、当該元画像データが示す元画像７１ｂの一例を示す図である。図２０に例示される元画像７１ｂは、着色領域７８１と、ロゴ７８２と、バーコード７３ｂとを含む。着色領域７８１およびロゴ７８２は通常画像であり、バーコード７３ｂはコード図形であるが、上述のように、元画像データでは、これらの画像のデータは、通常画像とコード図形とに分別されていない。
【００６９】
この場合、画像処理装置５では、ステップＳ１１が終了すると、図２１に示すステップＳ３１，Ｓ３２がステップＳ１２〜Ｓ２２よりも前に行われる。ステップＳ３１では、図３に示すコード図形選択部５７により、元画像７１ｂに含まれる複数の画像のうち、予め定められた出力解像度と等しい解像度を有する１ビット画像（すなわち、２値画像）が、コード図形として選択される。上述の予め定められた出力解像度とは、例えば、画像記録部１における画像記録時の出力解像度である。コード図形選択部５７では、また、元画像７１ｂに含まれる複数の画像のうち、コード図形として選択されなかった画像が、通常画像として選択される。これにより、元画像７１ｂに含まれる複数の画像が、通常画像とコード図形とに自動的に分別される。図２０に示す例では、バーコード７３ｂがコード図形として選択され、着色領域７８１およびロゴ７８２が通常画像として選択される。
【００７０】
ステップＳ３２では、ステップＳ３１にて通常画像として選択された着色領域７８１およびロゴ７８２が、レイヤ付きＰＤＦデータの第１レイヤに配置され、コード図形として選択されたバーコード７３ｂが、第１レイヤよりも上層の第２レイヤに配置される。
【００７１】
画像処理装置５では、ステップＳ３２が終了すると、ステップＳ１２〜Ｓ２２が行われて補正済みラスタデータが生成される。ただし、ステップＳ３１，Ｓ３２では、通常画像を上層画像と下層画像とに分別していないため、ステップＳ１２〜Ｓ２２のうち、ステップＳ１５，Ｓ１６の上層画像ラスタデータの取得、および、ステップＳ２１の抜き処理は行われない。
【００７２】
この場合であっても、画像処理装置５では、上述のように、コード図形の読み取り精度、および、通常画像のレイアウトを維持しつつ、変倍処理が施されたラスタデータを生成することができる。また、画像処理装置５では、ステップＳ１１において準備された元画像データが、通常画像のデータとコード図形のデータとを区別することなく含んでいる場合であっても、コード図形選択部５７により、通常画像とコード図形とを自動的に分別することができる。その結果、上述のように、画像データに対する処理を容易に行うことができる。
【００７３】
画像処理装置５では、ステップＳ３１において、通常画像として選択された画像のうち、文字または記号である画像（例えば、ロゴ７８２）が上層画像として選択され、通常画像の上層画像以外の画像（例えば、着色領域７８１）が下層画像として選択されてもよい。この場合、ステップＳ３２において、下層画像が上記第１レイヤに配置され、上層画像は、上記第２レイヤよりも上層の第３レイヤに配置される。そして、ステップＳ１２〜Ｓ２２において、ステップＳ１５，Ｓ１６の上層画像ラスタデータの取得、および、ステップＳ２１の抜き処理が行われる。これにより、上述のように、セキュリティコードが文字や記号等の上層画像に重なることが防止され、セキュリティコードの存在が認識されることを抑制することができる。
【００７４】
画像処理装置５では、ステップＳ３１，Ｓ３２に代えて、ステップＳ１２，Ｓ２０における注目画像の選択毎に、ステップＳ１３において、注目画像が、予め定められた出力解像度と等しい解像度を有する１ビット画像であるか否か（すなわち、コード画像であるか否か）が判断されてもよい。
【００７５】
上述の画像処理装置５および画像記録装置１０では、様々な変更が可能である。
【００７６】
画像処理装置５では、コード図形の表示範囲を制限するクリップは、必ずしも使用されなくてもよい。この場合、ステップＳ１７のクリップ補正部５３による変倍クリップの生成は省略される。
【００７７】
画像処理装置５では、変倍処理が行われても読み取り精度上等の問題がないコード図形は、上述の通常画像として扱われてもよい。換言すれば、画像処理装置５では、元画像に含まれる画像のうち、一般的にコード図形と解釈され得る全ての図形がコード図形補正部５４によりラスタライズ処理される必要はなく、当該全ての図形のうち少なくとも１つの図形がコード図形としてコード図形補正部５４によりラスタライズ処理される。
【００７８】
元画像データの種類は、必ずしも、レイヤ付きＰＤＦデータには限定されない。元画像データは、レイヤ構造を有する様々な種類のデータであることが好ましいが、レイヤ構造を有しない種類のデータであってもよい。
【００７９】
画像記録装置１０では、必ずしも記録媒体９の両面に対する画像の記録が行われる必要はなく、記録媒体９の一方の面にのみ画像の記録が行われてもよい。この場合であっても、画像処理装置５において、当該画像の元画像データに対する上述の処理が行われることにより、コード図形の読み取り精度および通常画像のレイアウトを維持しつつ、変倍処理が施された画像を記録媒体９に記録することができる。
【００８０】
画像記録部１では、記録媒体９に対する単色の画像の記録が行われてもよい。また、画像記録部１では、印刷用紙以外の様々な種類の記録媒体９に対する画像の記録が行われてもよい。さらには、画像記録部１では、長尺状ではない複数の記録媒体（例えば、複数の略矩形の印刷用紙）に対して順次画像を記録する枚葉印刷が行われてもよい。
【００８１】
上述の記憶部５１、通常画像補正部５２、コード図形補正部５４およびラスタデータ合成部５６を備える画像処理装置５は、画像記録部１から独立して画像記録装置１０以外の装置にて利用されてもよい。当該画像処理装置５は、上述のクリップ補正部５３を備えていてもよい。画像処理装置５は、また、上述のコード図形選択部５７を備えていてもよい。
【００８２】
上記実施の形態および各変形例における構成は、相互に矛盾しない限り適宜組み合わされてよい。
【符号の説明】
【００８３】
１    画像記録部
５    画像処理装置
９    記録媒体
１０    画像記録装置
５１    記憶部
５２    通常画像補正部
５３    クリップ補正部
５４    コード図形補正部
５６    ラスタデータ合成部
５７    コード図形選択部
７１，７１ｂ    元画像
７３    コード図形
７３ｂ    バーコード
８０    プログラム
９１    表面
９２    裏面
７４１    第１下層画像
７４２    第２下層画像
７５１    第１上層画像
７５２    第２上層画像
７６２    表示範囲
７６２ａ    変倍表示範囲
７８１    着色領域
７８２    ロゴ
Ｓ１１〜Ｓ２２，Ｓ３１，Ｓ３２，Ｓ１７０    ステップ
【図１】
2016072723.tif 000003
【図２】
2016072723.tif 000004
【図３】
2016072723.tif 000005
【図４Ａ】
2016072723.tif 000006
【図４Ｂ】
2016072723.tif 000007
【図５】
2016072723.tif 000008
【図６】
2016072723.tif 000009
【図７】
2016072723.tif 000010
【図８】
2016072723.tif 000011
【図９】
2016072723.tif 000012
【図１０】
2016072723.tif 000013
【図１１】
2016072723.tif 000014
【図１２】
2016072723.tif 000015
【図１３】
2016072723.tif 000016
【図１４】
2016072723.tif 000017
【図１５】
2016072723.tif 000018
【図１６】
2016072723.tif 000019
【図１７】
2016072723.tif 000020
【図１８】
2016072723.tif 000021
【図１９】
2016072723.tif 000022
【図２０】
2016072723.tif 000023
【図２１】
2016072723.tif 000024